(57)【要約】      （修正有）【課題】煙や燃焼生成物を発生させることなく、フレーバーを楽しむことができる非燃焼タイプ香味吸引物品を提供する。【解決手段】外皮膜で液状のフレーバーを内包したカプセル１と、カプセルを挟持するように設けられた液漏出防止部材２と、フレーバー不透過性かつ熱伝導性の材料からなりカプセルおよび液漏出防止部材の周囲を包囲する包装材３と、包装材の一端に接続されたマウスピース２０とを有することを特徴とする非燃焼タイプ香味吸引物品。【選択図】図１
2014000420.tif 000002
【特許請求の範囲】
【請求項１】
外皮膜で液状のフレーバーを内包したカプセルと、前記カプセルを挟持するように設けられた液漏出防止部材と、フレーバー不透過性かつ熱伝導性の材料からなり前記カプセルおよび液漏出防止部材の周囲を包囲する包装材と、前記包装材の一端に接続されたマウスピースとを有することを特徴とする非燃焼タイプ香味吸引物品。
【請求項２】
前記マウスピースはフレーバー不透過性の材料からなることを特徴とする請求項１に記載の非燃焼タイプ香味吸引物品。
【請求項３】
前記マウスピースは内壁にフレーバー不透過性の材料を被覆した紙管からなることを特徴とする請求項１に記載の非燃焼タイプ香味吸引物品。
【請求項４】
前記カプセルの外皮膜は、熱により溶融することを特徴とする請求項１に記載の非燃焼タイプ香味吸引物品。
【請求項５】
前記液漏出防止部材は、ペーパーフィルターまたはアセテートフィルターからなることを特徴とする請求項１に記載の非燃焼タイプ香味吸引物品。
【請求項６】
前記液漏出防止部材は、たばこ充填材からなることを特徴とする請求項１に記載の非燃焼タイプ香味吸引物品。
【請求項７】
前記カプセルおよび液漏出防止部材の周囲を筒状のたばこシートで包囲し、さらに前記筒状の包装材で包囲したことを特徴とする請求項１に記載の非燃焼タイプ香味吸引物品。
【請求項８】
前記液漏出防止部材と前記マウスピースとの接合部の周囲を筒状のたばこシートで包囲し、さらに前記カプセルおよび液漏出防止部材ならびにたばこシートの周囲を前記筒状の包装材で包囲したことを特徴とする請求項１に記載の非燃焼タイプ香味吸引物品。
【請求項９】
前記液漏出防止部材によって、複数のカプセルを挟持したことを特徴とする請求項１に記載の非燃焼タイプ香味吸引物品。
【請求項１０】
前記カプセルを前記液漏出防止部材の内部に埋設したことを特徴とする請求項１に記載の非燃焼タイプ香味吸引物品。
【発明の詳細な説明】
【技術分野】
【０００１】
本発明は、非燃焼タイプ香味吸引物品に関する。
【背景技術】
【０００２】
従来、香味吸引物品、たとえばフレーバーを含ませた繊維束を装着したパイプを常温で吸引する物品が知られている。しかし、この方法では揮発する成分量が少ないため、使用者は十分な満足感を得ることができない。
【０００３】
一方、従来のシガレットは、たばこロッドの端部に点火し、シガレットのマウスピース端部で吸引し、空気を主に着火端部を通して吸い込むことにより喫煙する。このとき、たばこは８００℃を超える温度で燃焼する。このような高温での燃焼に伴って様々な問題が生じ得るので、代替として電気加熱式シガレットが開発されている。また、電気加熱式シガレットにおいて、香味料を含むビーズを配置することにより、香味料の放出を制御することが提案されている（特許文献１）。
【０００４】
特許文献１の電気加熱式シガレットは、たばこに着火する場合と比較して加熱温度は低いけれども、やはり煙を生じさせて吸引するものであるため、煙や燃焼生成物の発生に問題が生じる。
【先行技術文献】
【特許文献】
【０００５】
【特許文献１】特表２００６−５０４４３１号公報
【発明の概要】
【発明が解決しようとする課題】
【０００６】
本発明の目的は、煙や燃焼生成物を発生させることなく、フレーバーのリリースを制御することができフレーバーを楽しむことができる非燃焼タイプ香味吸引物品を提供することにある。
【課題を解決するための手段】
【０００７】
本発明の非燃焼タイプ香味吸引物品は、外皮膜で液状のフレーバーを内包したカプセルと、前記カプセルを挟持するように設けられた液漏出防止部材と、フレーバー不透過性かつ熱伝導性の材料からなり前記カプセルおよび液漏出防止部材の周囲を包囲する包装材と、前記包装材の一端に接続されたマウスピースとを有することを特徴とする。
【０００８】
本発明において、前記マウスピースはフレーバー不透過性の材料からなることが好ましい。たとえば、前記マウスピースは内壁にフレーバー不透過性の材料を被覆した紙管からなる。本発明において、前記カプセルの外皮膜は、熱により溶融するものであることが好ましい。本発明において、前記液漏出防止部材は、ペーパーフィルターまたはアセテートフィルターからなっていてもよいし、たばこ充填材からなっていてもよい。
【０００９】
本発明においては、前記カプセルおよび液漏出防止部材の周囲を筒状のたばこシートで包囲し、さらに前記筒状の包装材で包囲してもよいし、前記液漏出防止部材と前記マウスピースとの接合部の周囲を筒状のたばこシートで包囲し、さらに前記カプセルおよび液漏出防止部材ならびにたばこシートの周囲を前記筒状の包装材で包囲してもよい。
【００１０】
本発明において、前記液漏出防止部材によって挟持されるカプセルは、１つでもよいし複数でもよい。また、前記カプセルを前記液漏出防止部材の内部に埋設してもよい。
【発明の効果】
【００１１】
本発明に係る非燃焼タイプ香味吸引物品では、カプセルの外皮膜により液状のフレーバーを内包しているので、蔵置時はフレーバーが揮散することなく、安定的に保持される。また、使用時には外皮膜が破れてフレーバーが放出され、放出されたフレーバーはカプセルの両側に設けられた液漏出防止部材に染み込んで保持され、使用者の口元まで流出することはない。そして、使用者は加熱により揮発したフレーバー成分を吸引することによって香りを楽しむことができる。
【図面の簡単な説明】
【００１２】
【図１】図１は、本発明の一実施形態に係る非燃焼タイプ香味吸引物品の斜視図。
【図２】図２は、本発明の他の実施形態に係る非燃焼タイプ香味吸引物品を一部分解して示す斜視図。
【図３】図３は、本発明の他の実施形態に係る非燃焼タイプ香味吸引物品を一部分解して示す斜視図。
【図４】図４は、本発明の他の実施形態に係る非燃焼タイプ香味吸引物品を一部分解して示す斜視図。
【図５】図５は、本発明の他の実施形態に係る非燃焼タイプ香味吸引物品を一部分解して示す斜視図。
【図６】図６は、本発明の他の実施形態に係る非燃焼タイプ香味吸引物品を一部分解して示す斜視図。
【図７】図７は、非燃焼タイプ香味吸引物品を加熱デバイスのヒータ内に挿入する状態を示す説明図。
【図８】図８は、非燃焼タイプ香味吸引物品を挿入した加熱デバイスの断面図。
【図９】図９は、加熱デバイスを示す斜視図。
【発明を実施するための形態】
【００１３】
以下、図面を参照して、本発明の実施形態を説明する。
【００１４】
図１に本発明の一実施形態に係る非燃焼タイプ香味吸引物品の斜視図を示す。図１において、外皮膜で液状のフレーバーを内包した粒径４〜８ｍｍのカプセル１を挟持するように、１対の液漏出防止部材２、２が設けられている。液漏出防止部材２、２には、たとえばペーパーフィルターやアセテートフィルターなどのフィルター素材が用いられる。一方の液漏出防止部材２に対して、内壁にフレーバー不透過性の材料を被覆した紙管からなるマウスピース２０の一端を突き合わされている。カプセル１および液漏出防止部材２，２ならびにマウスピース２０の一端部の周囲に、フレーバー不透過性かつ熱伝導性の材料からなる包装材３が巻かれて筒状に成形されている。以下、マウスピース２０を除き、カプセル１および液漏出防止部材２，２の周囲に包装材３が巻かれた構造体を巻１０という。
【００１５】
本発明において、カプセル１は通常のカプセル化の方法を用いて作製することができる。カプセルの外皮膜は、たとえばゼラチンやヒドロキシプロピルメチルセルロースなどを用いて形成することができる。カプセルの外皮膜は、熱により溶融するものであることが好ましいが、応力によって破壊されるものであってもよい。
【００１６】
本発明において、液漏出防止部材２は、ペーパーフィルターやアセテートフィルターなどのフィルター素材に限らず、たばこ充填材などで形成してもよい。
【００１７】
本発明において、包装材はフレーバー不透過性かつ熱伝導性の材料からなる。包装材は、紙よりも熱伝導率が高い金属箔で形成することが好ましい。たとえばアルミニウム箔やステンレス箔に代表されるように、熱伝導率が１０Ｗ／ｍ・Ｋ以上で、安価で錆びにくく、加工特性が高い（数μｍ〜１０μｍの厚さで引張強度が高く、曲げやすい）金属箔を用いることが好ましい。このような金属箔からなる包装材を用いることにより、後述する加熱デバイスからの熱をカプセルへ均一かつ効率よく伝熱することができる。
【００１８】
本発明において、マウスピース２０はフレーバー不透過性の材料からなることが好ましい。たとえば、マウスピース２０は内壁にフレーバー不透過性の材料を被覆した紙管からなる。
【００１９】
図２〜図６を参照して、本発明の他の実施形態に係る非燃焼タイプ香味吸引物品を説明する。
【００２０】
図２の非燃焼タイプ香味吸引物品は、液漏出防止部材としてたばこ充填材４を用いたものである。
【００２１】
図３の非燃焼タイプ香味吸引物品では、カプセル１および液漏出防止部材２、２の周囲にたばこシート５が巻かれて筒状に成形され、さらに包装材３が巻かれて筒状に成形されている。
【００２２】
図４の非燃焼タイプ香味吸引物品では、一方の液漏出防止部材２とマウスピース２０との接合部の周囲にたばこシート５が巻かれて筒状に成形され、さらにカプセル１および液漏出防止部材２ならびにたばこシート４の周囲に包装材３が巻かれて筒状に成形されている。
【００２３】
図２〜図４のように、たばこ充填材４やたばこシート４を用いた場合、たばこの加熱により発生する香喫味成分とともにカプセル１からのフレーバーを楽しむことができる。
【００２４】
図５の非燃焼タイプ香味吸引物品は、液漏出防止部材２、２によって、図１のカプセル１より小さい、粒径０．３〜４ｍｍの複数のカプセル１を挟持したものである。この非燃焼タイプ香味吸引物品では、熱伝導に伴って外側から次第にカプセル１が溶融するため、フレーバーの持続性、およびパフバイパフでフレーバー発生が安定することを期待できる。
【００２５】
図６の非燃焼タイプ香味吸引物品は、カプセル１を液漏出防止部材２の内部に埋設したものである。この非燃焼タイプ香味吸引物品では、フレーバーの染み出しを抑制する効果を向上させることができる。
【００２６】
次に、本発明に係る非燃焼タイプ香味吸引物品を加熱するために用いられる加熱デバイスについて説明する。
【００２７】
図７は非燃焼タイプ香味吸引物品を加熱デバイスのヒータ内に挿入する状態を示す説明図である。図７に示すように、非燃焼タイプ香味吸引物品の巻１０の部分を、加熱デバイス３０の中空円筒構造をなすヒータ３１内に挿入する。ヒータ３１は、巻１０の包装材３と同質の素材（たとえばアルミニウム）からなる中空円筒を電気抵抗体で被覆したものが好ましい。これは、ヒータ３１内面の素材と包装材３の素材とが異なると、電触が発生して好ましくないためである。
【００２８】
図８は非燃焼タイプ香味吸引物品を挿入した加熱デバイスの断面図である。加熱デバイス３０に内蔵された中空円筒構造をなすヒータ３１は８０〜１４０℃の温度に加熱される。このヒータ３１の中空部に、非燃焼タイプ香味吸引物品の巻１０が挿入される。
【００２９】
図９に加熱デバイス３０の斜視図を示す。上記のように加熱デバイス３０は中空円筒構造をなすヒータ３１を有する。加熱デバイス３０の内部には制御回路３２、温度センサ（図示せず）および電池３３が収容されている。温度センサとしては熱電対やサーミスタが挙げられる。制御回路３２は電池３３によって動作し、温度センサによって検知されるヒータ３１の温度が８０〜１４０℃となるようにフィードバック制御を行う。
【実施例】
【００３０】
以下、本発明の実施例を説明する。本実施例では、図１に示した非燃焼タイプ香味吸引物品を作製した。
【００３１】
メンソールフレーバーをゼラチンからなる外皮膜に内包させた、粒径６ｍｍのシームレスなカプセル１を作製した。このカプセル１の両側に、５ｍｍ長の円柱状のペーパーフィルターからなる液漏出防止部材２，２を配置してカプセル１を挟持した。一方の液漏出防止部材２に対して、内壁にフレーバー不透過性の材料を被覆した紙管からなるマウスピース２０の一端を突き合わせた。この状態で、カプセル１および液漏出防止部材２，２ならびにマウスピース２０の一端部の周囲に、アルミニウム箔からなる包装材３を巻いて筒状に成形し、非燃焼タイプ香味吸引物品を作製した。
【００３２】
図７に示すように、この非燃焼タイプ香味吸引物品を加熱デバイス３０に挿入し、カプセル１に対応する部分を１１５℃に加熱した。その結果、数秒でカプセル１の外皮膜が溶融し、ペーパーフィルターからなる液漏出防止部材２にフレーバーが染み込むことが確認された。マウスピース２０から吸引したところ、外部への液の漏出を招くことなく、メンソールフレーバーの良好な感覚を楽しむことができた。
【図１】
2014000420.tif 000003
【図２】
2014000420.tif 000004
【図３】
2014000420.tif 000005
【図４】
2014000420.tif 000006
【図５】
2014000420.tif 000007
【図６】
2014000420.tif 000008
【図７】
2014000420.tif 000009
【図８】
2014000420.tif 000010
【図９】
2014000420.tif 000011
【手続補正書】
【提出日】平成25年7月26日(2013.7.26)
【手続補正１】
【補正対象書類名】特許請求の範囲
【補正対象項目名】全文
【補正方法】変更
【補正の内容】
【特許請求の範囲】
【請求項１】
熱により溶融する外皮膜で液状のフレーバーを内包したカプセルと、前記カプセルを挟持するように設けられた液漏出防止部材と、フレーバー不透過性を有しかつ１０Ｗ／ｍ・Ｋ以上の熱伝導率を有する材料からなり前記カプセルおよび液漏出防止部材の周囲を包囲する包装材と、前記包装材の一端に接続されたマウスピースとを有することを特徴とする非燃焼タイプ香味吸引物品。
【請求項２】
前記包装材が、金属箔からなることを特徴とする請求項１に記載の非燃焼タイプ香味吸引物品。
【請求項３】
前記包装材が、アルミニウム箔またはステンレス箔からなることを特徴とする請求項１に記載の非燃焼タイプ香味吸引物品。
【請求項４】
前記マウスピースはフレーバー不透過性の材料からなることを特徴とする請求項１に記載の非燃焼タイプ香味吸引物品。
【請求項５】
前記マウスピースは内壁にフレーバー不透過性の材料を被覆した紙管からなることを特徴とする請求項１に記載の非燃焼タイプ香味吸引物品。
【請求項６】
前記液漏出防止部材は、ペーパーフィルターまたはアセテートフィルターからなることを特徴とする請求項１に記載の非燃焼タイプ香味吸引物品。
【請求項７】
前記液漏出防止部材は、たばこ充填材からなることを特徴とする請求項１に記載の非燃焼タイプ香味吸引物品。
【請求項８】
前記カプセルおよび液漏出防止部材の周囲を筒状のたばこシートで包囲し、さらに前記筒状の包装材で包囲したことを特徴とする請求項１に記載の非燃焼タイプ香味吸引物品。
【請求項９】
前記液漏出防止部材と前記マウスピースとの接合部の周囲を筒状のたばこシートで包囲し、さらに前記カプセルおよび液漏出防止部材ならびにたばこシートの周囲を前記筒状の包装材で包囲したことを特徴とする請求項１に記載の非燃焼タイプ香味吸引物品。
【請求項１０】
前記液漏出防止部材によって、複数のカプセルを挟持したことを特徴とする請求項１に記載の非燃焼タイプ香味吸引物品。
【請求項１１】
前記カプセルを前記液漏出防止部材の内部に埋設したことを特徴とする請求項１に記載の非燃焼タイプ香味吸引物品。
【請求項１２】
前記非燃焼タイプ香味吸引物品を挿入するための中空円筒構造を有するヒータを備えた加熱デバイスをさらに含むことを特徴とする請求項１に記載の非燃焼タイプ香味吸引物品。